【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
判別条件の成立に基づいて判別を実行する判別手段と、
その判別手段による判別結果を示すための識別情報が表示されることが可能な表示手段と、
その表示手段に表示される前記識別情報を所定期間、動的表示することが可能な動的表示手段と、
前記表示手段に、前記判別手段による判別結果が特定の判別結果であることを示すための前記識別情報が停止表示された場合に、遊技者に有利な特典を付与することが可能な特典付与手段と、を有した遊技機において、
前記識別情報の動的表示中に特定条件が成立した場合に、前記識別情報とは異なる特殊図柄を複数表示させることが可能な特殊図柄表示手段と、
前記判別結果が前記特定の判別結果であることに対応した前記特殊図柄を示唆する示唆態様を表示させることが可能な示唆態様表示手段と、
前記複数の特殊図柄のうち、１の前記特殊図柄を選択することが可能な特殊図柄選択手段と、
前記複数の特殊図柄を動的表示されている前記識別情報とは異なる態様で動的表示させた後に、前記特殊図柄選択手段により選択された前記特殊図柄が所定の停止表示位置に表示されるようにすることが可能な特殊図柄動的表示手段と、
前記示唆態様で示唆された前記特殊図柄が前記所定の停止表示位置に停止表示された場合に、前記特定の判別結果であることを示すための前記識別情報となることに対応した報知態様を報知し、前記示唆態様で示唆された以外の前記特殊図柄が前記所定の停止表示位置に停止表示された場合に、その停止表示された前記特殊図柄に対応して予め設定された態様を報知した後に、前記特定の判別結果以外であることを示すための前記識別情報となることに対応した報知態様を報知することが可能な報知手段と、
前記識別情報の動的表示態様を前記判別結果に基づいて決定することが可能な動的表示態様決定手段と、を有し、
前記複数の特殊図柄は、前記動的表示態様決定手段により決定された特定の動的表示態様で前記識別情報が動的表示されている場合に、前記特定条件の成立に基づいて表示されるものであり、
前記特殊図柄動的表示手段は、遊技者の操作に基づいて前記特殊図柄の動的表示を停止表示させることが可能に構成されているものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、遊技者にわかり易い演出を行う遊技機がある。
【手続補正３】
【補正対象書類名】明細書
【補正対象項目名】０００３
【補正方法】変更
【補正の内容】
【０００３】
【特許文献１】特開２００２−３０６７１９号公報
【手続補正４】
【補正対象書類名】明細書
【補正対象項目名】０００４
【補正方法】変更
【補正の内容】
【０００４】
しかしながら、上述した従来の遊技機では、更なる遊技の興趣向上が求められていた。
【手続補正５】
【補正対象書類名】明細書
【補正対象項目名】０００５
【補正方法】変更
【補正の内容】
【０００５】
本発明は、上記例示した問題点を解決するためになされたものであり、遊技の興趣を向上できる遊技機を提供することを目的とする。
【手続補正６】
【補正対象書類名】明細書
【補正対象項目名】０００６
【補正方法】変更
【補正の内容】
【０００６】
この目的を達成するために本発明の遊技機は、判別条件の成立に基づいて判別を実行する判別手段と、その判別手段による判別結果を示すための識別情報が表示されることが可能な表示手段と、その表示手段に表示される前記識別情報を所定期間、動的表示することが可能な動的表示手段と、前記表示手段に、前記判別手段による判別結果が特定の判別結果であることを示すための前記識別情報が停止表示された場合に、遊技者に有利な特典を付与することが可能な特典付与手段と、を有し、前記識別情報の動的表示中に特定条件が成立した場合に、前記識別情報とは異なる特殊図柄を複数表示させることが可能な特殊図柄表示手段と、前記判別結果が前記特定の判別結果であることに対応した前記特殊図柄を示唆する示唆態様を表示させることが可能な示唆態様表示手段と、前記複数の特殊図柄のうち、１の前記特殊図柄を選択することが可能な特殊図柄選択手段と、前記複数の特殊図柄を動的表示されている前記識別情報とは異なる態様で動的表示させた後に、前記特殊図柄選択手段により選択された前記特殊図柄が所定の停止表示位置に表示されるようにすることが可能な特殊図柄動的表示手段と、前記示唆態様で示唆された前記特殊図柄が前記所定の停止表示位置に停止表示された場合に、前記特定の判別結果であることを示すための前記識別情報となることに対応した報知態様を報知し、前記示唆態様で示唆された以外の前記特殊図柄が前記所定の停止表示位置に停止表示された場合に、その停止表示された前記特殊図柄に対応して予め設定された態様を報知した後に、前記特定の判別結果以外であることを示すための前記識別情報となることに対応した報知態様を報知することが可能な報知手段と、前記識別情報の動的表示態様を前記判別結果に基づいて決定することが可能な動的表示態様決定手段と、を有し、前記複数の特殊図柄は、前記動的表示態様決定手段により決定された特定の動的表示態様で前記識別情報が動的表示されている場合に、前記特定条件の成立に基づいて表示されるものであり、前記特殊図柄動的表示手段は、遊技者の操作に基づいて前記特殊図柄の動的表示を停止表示させることが可能に構成されているものである。
【手続補正７】
【補正対象書類名】明細書
【補正対象項目名】０００７
【補正方法】変更
【補正の内容】
【０００７】
本発明の遊技機によれば、判別条件の成立に基づいて判別を実行する判別手段と、その判別手段による判別結果を示すための識別情報が表示されることが可能な表示手段と、その表示手段に表示される前記識別情報を所定期間、動的表示することが可能な動的表示手段と、前記表示手段に、前記判別手段による判別結果が特定の判別結果であることを示すための前記識別情報が停止表示された場合に、遊技者に有利な特典を付与することが可能な特典付与手段と、を有し、前記識別情報の動的表示中に特定条件が成立した場合に、前記識別情報とは異なる特殊図柄を複数表示させることが可能な特殊図柄表示手段と、前記判別結果が前記特定の判別結果であることに対応した前記特殊図柄を示唆する示唆態様を表示させることが可能な示唆態様表示手段と、前記複数の特殊図柄のうち、１の前記特殊図柄を選択することが可能な特殊図柄選択手段と、前記複数の特殊図柄を動的表示されている前記識別情報とは異なる態様で動的表示させた後に、前記特殊図柄選択手段により選択された前記特殊図柄が所定の停止表示位置に表示されるようにすることが可能な特殊図柄動的表示手段と、前記示唆態様で示唆された前記特殊図柄が前記所定の停止表示位置に停止表示された場合に、前記特定の判別結果であることを示すための前記識別情報となることに対応した報知態様を報知し、前記示唆態様で示唆された以外の前記特殊図柄が前記所定の停止表示位置に停止表示された場合に、その停止表示された前記特殊図柄に対応して予め設定された態様を報知した後に、前記特定の判別結果以外であることを示すための前記識別情報となることに対応した報知態様を報知することが可能な報知手段と、前記識別情報の動的表示態様を前記判別結果に基づいて決定することが可能な動的表示態様決定手段と、を有し、前記複数の特殊図柄は、前記動的表示態様決定手段により決定された特定の動的表示態様で前記識別情報が動的表示されている場合に、前記特定条件の成立に基づいて表示されるものであり、前記特殊図柄動的表示手段は、遊技者の操作に基づいて前記特殊図柄の動的表示を停止表示させることが可能に構成されているものである。よって、遊技の興趣を向上できるという効果がある。
【手続補正８】
【補正対象書類名】明細書
【補正対象項目名】１３１４
【補正方法】変更
【補正の内容】
【１３１４】
８１                                  第３図柄表示装置（表示手段）
Ｓ２１２ 判別手段
Ｓ２０８ 動的表示手段
Ｓ９０４                              特典付与手段
Ｓ３１０ 動的表示態様決定手段
Ｓ２７０３ 特殊図柄動的表示手段の一部